(57)【要約】      （修正有）【課題】スパイラル型発光部品の内部光源を完全に放射することができ、有効的にルーメン値（ＬＭ）を上げることができ、低炭素効果を具有し、形状が握りやすく、落としにくいスパイラル型発光部品の反射体構造を提供する。【解決手段】主に発光部品、反射体及びグローブで構成する。発光部品はスパイラル型の中央が中空状の蛍光灯であり、発光部品の一端に台座を設置し、反射体を該発光部品の中央にある中空部に設置し、一端を台座の内部に設置し、反射体の表面に、発光部品の内側の光源を外側に反射する反射面を設置し、上方頂部に発光部品を掛合する掛合部品を設置する。グローブを発光部品の外側に設置し、グローブは互いに結合できる上部と下部を含み、上部の外側縁にサークル状の突出部を設置し、下部の底部を台座の上に設置する。【選択図】図１
0003164394.tif 000002
【実用新案登録請求の範囲】
【請求項１】
発光部品、反射体からなり、
該発光部品はスパイラル型の中央が中空状の蛍光灯であり、該発光部品の頂部の中央に横置部を設け、別端に台座を設置し、
反射体を該発光部品の中央にある中空部に設置し、一端を台座の内部に設置し、該反射体の表面に、発光部品の内側の光源を外側に反射する反射面を設置することを特徴とするスパイラル型発光部品の反射体構造。
【請求項２】
前記発光部品の形状は、円柱型、方形、三角形、又は多角形から選択される形状であることを特徴とする請求項１記載のスパイラル型発光部品の反射体構造。
【請求項３】
前記発光部品が構成する中空状の蛍光灯材料は、サイズ８/８インチのＴ８蛍光ランプ、サイズ５/８インチのＴ５蛍光ランプ、サイズ３/８インチのＴ３蛍光ランプ、サイズ６/８インチのＴ６蛍光ランプ、冷陰蛍光ランプ、外部電極蛍光ランプ、又は発光ダイオードから選択される材料であることを特徴とする請求項２記載のスパイラル型発光部品の反射体構造。    
【請求項４】
前記反射体の形状は円柱体或いは円錐体であることを特徴とする請求項２記載のスパイラル発光部品の反射体構造。
【請求項５】
前記反射体の形状は円柱型、方形、三角形、又は多角形から選択される形状であることを特徴とする請求項４記載のスパイラル発光部品の反射体構造。
【請求項６】
前記反射体の上方に一つの頂部を設置し、該頂部に発光部品の横置部を掛合する掛合部を設けることを特徴とする請求項４記載のスパイラル型発光部品の反射体構造。
【請求項７】
前記発光部品の外側にグローブを設けて覆うことを特徴とする請求項６記載のスパイラル型発光部品の反射体構造。
【請求項８】
前記グローブは互いに掛合できる上部と下部を含み、該下部の底部を台座の上に設置し、該上部は下部の上方に設置し、周りに握り易い突起部を設置することを特徴とする請求項７記載のスパイラル型発光部品の反射体構造。
【請求項９】
前記グローブは発光部品に相対して設置し、材料は透明、霧状、或いはこれらの組み合わせであることを特徴とする請求項８記載のスパイラル型発光部品の反射体構造。
【請求項１０】
前記グローブは発光部品に相対する部分に色或いは図案を設置することができることを特徴とする請求項９記載のスパイラル型発光部品の反射体の構造。
【考案の詳細な説明】
【技術分野】
【０００１】
本考案はスパイラル型発光部品の反射体の構造に関し、特に螺旋(スパイラル)状の発光部品の内側光源を完全に放射するスパイラル型発光部品の反射体構造に関する。
【背景技術】
【０００２】
家庭や学校、会社に工場、商店、ホテルなど、照明として電球を用いるのが一般的であり、欠かせてはならない必需品となっている。今までは白熱電球を普遍的に使用していたが、時代が進歩し、エコと省エネが叫ばれるなか、白熱電球に代わって様々な省エネタイプの電球、例えば蛍光灯が使用されているが、円形型の省エネタイプやＵ字型省エネタイプにスパイラル型の蛍光灯等の電球などは、白熱電球に比べ、発光効率は蛍光灯等のスパイラル型のものがベストである。省エネの効果が得られるほか、大幅に電気代を節約することができる。また、蛍光灯がスパイラル型であるため、外側に３６０度の向きで発光する。
よって、スパイラル型蛍光灯の核心に向ける光源が蛍光灯によって遮られるため、光源が完全に放射されず、発光効率が下がってしまうなどを鑑みて、更なる改善が必要であった。
【先行技術文献】
【特許文献】
【０００３】
【特許文献１】特開２０１０−３３９６４
【考案の概要】
【考案が解決しようとする課題】
【０００４】
前記公知構造の欠点を解決するため、本考案は、光源が完全に外側に放射させるようにしたスパイラル型発光部品の反射体構造を提供することを主な課題とする。  
【課題を解決するための手段】
【０００５】
前記課題を解決するため、本考案はスパイラル型発光部品の反射体構造を提供するものであり、それに含まれるのは発光部品、反射体、グローブ(カバー)であって、発光部品はスパイラル型の中央が中空状の蛍光灯であり、該発光部品の一端に台座を設置する。
反射体を該発光部品の中央にある中空部に設置し、一端を台座の内部に設置し、該上方の頂部に発光部品と掛合する掛合部を設置し、該反射体の表面に反射面を設置する。
前記発光部品の外側はグローブで覆い、前記グローブは互いに結合できる上部と下部を含み、該グローブの下部の一端を台座の上に設置し、該上部外側周りはサークル状の突出部を設置する。
【０００６】
このデザインにより、スパイラル型発光部品の内部の光源を完全に放射することができ、有効的にルーメン値(ＬＭ)を上げることができ、低炭素効果を具有するスパイラル型発光部品の反射体構造である。
【考案の効果】
【０００７】
本考案のスパイラル型発光部品の反射体構造によれば、スパイラル型発光部品の中央にある中空部に反射体を設置することで、内部に向けられた光源が完全に外側に放射することができ、有効的にルーメン値(ＬＭ)を上げることができ、低炭素効果を具有することができる。
【図面の簡単な説明】
【０００８】
【図１】本考案における立体分解図である。
【図２】本考案における立体組立図である。
【図３】本考案における組立断面図である。
【図４】本考案の発光部品がスパイラル型蛍光灯の核心に向けた光源を反射する作用図である。
【図５】本考案の実施例図(一)
【図６】本考案の実施例図(二)
【図７】本考案の実施例図(三)
【図８】本考案のグローブに設置するサークル状の突出部の実施例(一)である。
【図９】本考案のグローブに設置するサークル状の突出部の実施例(二)である。
【図１０】本考案のグローブに設置するサークル状の突出部の実施例(三)である。
【考案を実施するための形態】
【０００９】
本考案によるスパイラル型発光部品の反射体構造を明確に示すために図に沿って詳細な説明を行う。以下、本考案の実施例の図面に沿って、実施例として本考案を説明する。
【００１０】
図１、図２及び図３に示すのは、本考案のスパイラル型発光部品の反射体構造の実施例における立体分解図、立体組み立て図及び組立断面図である。本考案のスパイラル型発光部品の反射体構造の最良の実施例に含まれるのは発光部品１、反射体２、グローブ(カバー)３である。
【００１１】
前記発光部品１は中央が中空状のスパイラル型蛍光灯であり、頂部２２の中央に横置部１０を設け、発光部品１の一端に固定するための台座１１を設ける。本考案の発光部品１はスパイラル型であれば、特に形状を限定しなくても良い。なお、本実施例の発光部品１は円柱型であるが、それによって制限されることはなく、方形、三角形、又は多角形から選択される形状、或いは、その他の如何なる形状でも良いことは勿論である。
発光部品１が構成する中空状の蛍光灯材料は、従来の中空管直径がサイズ８/８(１インチ)のＴ８蛍光ランプとすることができるが、それによって制限されることはなく、５/８インチのＴ５蛍光ランプや、３/８インチのＴ３蛍光ランプ或いは６/８インチのＴ６蛍光ランプ、或いはＣＣＦＬ(COLD CATHODE FLUORESCENT LAMP）冷陰蛍光ランプ、或いはＥＥＦＬ(External Electrode Fluorescent Lamp)外部電極蛍光ランプ、又は、ＬＥＤ(LIGHT EMITING DOIDE）発光ダイオード、或いはその他の如何なる蛍光ランプの材料を用いても良い。
【００１２】
前記反射体２は、発光部品１の中央にある中空部に設置し、該反射体２の一端を台座１１の内部に設置する。図４に示すように、発光部品１の内側光源４を外側に反射する反射面２１(図１０参照)を反射体２の表面に設置することができる。該反射体２の形状は円柱体或いは円錐体の如何なる形状とすることができ、大小は制限されない。図５、図６、図７に示す本考案の実施例図(一)、(二)、(三)に示すように、スパイラル型発光部品１の蛍光灯の中央にある中空部に設置することができるものは、全て本考案の均等の範囲である。
【００１３】
更に、本実施例の反射体２の形状は円柱型の中心柱であるが、それによって制限されず、方形、三角形、又は多角形から選択させる形状、或いは、その他の如何なる形状でも良い。該反射体２が発光部品１としっかりと嵌合できるため、該反射体２の底部に発光部品１と結合できる台座１１があるほか、反射体２の頂部２２に分離及び掛合ができる掛合部２０を設置する。本実施例の掛合部２０は二枚の相対する挟持片で構成する構造であるが、それによって制限されず、如何なる発光部品１の頂部２２にある横置部１０と挟持する構造であれば良い。掛合部２０により、発光部品(蛍光灯)１の頂部２２にある横置部１０としっかり掛合することができる。
【００１４】
前記グローブ３はオプションで発光部品１の外側を覆うことができ、互いに掛合する上部３１及び下部３２を含むことができる。該下部３２の底部を台座１１の上に設置し、周囲に突出部３１１を設ける上部３１は、下部３２の上方に位置するため、本考案の台座１１を具有する発光部品１の外側にオプションでグローブ３を設置する、或いは設置しないを選択することができ、ユーザーの好みや習慣、或いは使用用途の違いによってセレクトする。図８、図９及び図１０に示すのは、本考案のグローブにサークル状の突出部を設置する実施例(一)、(二)、(三)である。
【００１５】
その目的その一は、該スパイラル型の発光部品１の表面の造型を滑らかでシンプルなものにし、手入れの時間を短縮する。目的その二は、該グローブ３の上部３１の外側に突出部３１１を設置し、該突出部３１１はサークル状に突出し、グローブ３の外側を覆うため、電球をしっかりと手に密着して握ることができるため、操作する際に落としにくくなるほか、力を出しすぎて壊すこともない。更に、本考案のグローブ３が発光部品１に対応する部分を透明或いは霧状(サンドブラスト：ガラス状)とすることができ、また、該透明或いは霧状部分に色や図案を描くことができる。該光透過部分は透明或いは霧状或いは色や図案の部分が発光部品１に対応し、グローブ３の他の光透過をしない部分は不透明とする。図５、図６及び図７に示す本考案の実施例図(一)、(二)、(三)を参照。
【００１６】
図４に示すように、本考案の発光部品がスパイラル型蛍光灯の核心に向けた光源を放射する作用図である。本考案の発光部品１はスパイラル型であり、中央が中空状を呈し、中央に反射面２１を具有する反射体２を設ける。よって、発光部品１に面し、蛍光灯によって遮蔽されるスパイラル型蛍光灯の核心の光源４は、発光部品１の中央に設けた反射体２により、３６０度外側に発光する発光部品１が、外部に直接放射するほか、スパイラル型蛍光灯の核心に向いていた光源４が、反射体２の反射面２１を通じて、スパイラル型の隙間から外側に反射する。それにより、発光部品１の光源４が完全に放射することができるため、有効的にスパイラル型蛍光灯が発光するときに形成する光のルーメン値(ＬＭ)を上げることができるほか、低炭素効果を具有する。また、持ち易い形状である。
【００１７】
以上ように、本考案の実施例のスパイラル型発光部品の反射体構造は、発光部品、反射体及びグローブで構成するスパイラル型発光部品の反射体構造であり、該発光部品はスパイラル型の中央が中空状の蛍光灯であり、該発光部品の一端に台座を設置する。該反射体を該発光部品の中央にある中空部に設置し、一端を台座の内部に設置し、該反射体の表面に、発光部品の内側の光源を外側に反射する反射面を設置し、該上方頂部に発光部品を掛合する掛合部品を設置する。
該グローブを発光部品の外側に設置し、該グローブは互いに結合できる上部と下部を含み、該上部の外側縁にサークル状の突出部を設置し、該下部の底部を台座の上に設置する。このような設計により、スパイラル型発光部品の内部光源を完全に放射することができ、有効的にルーメン値(ＬＭ）を上げることができ、低炭素効果を具有し、形状が握りやすく、落としにくいものである。
【００１８】
なお、本考案の実施例にて使用する図は説明書の説明及び補助であり、本考案の特徴を損なうものでなければ、上述した実施例に限定されないことは勿論であるが、例えば、実施時の比例や配置と異なる場合があるが、これに限定されるものではない。
すなわち、本技術に熟知する者が、本考案の範囲内にて行う変更や調整を行っても、本考案の重要な意義は失われず、本考案の範囲に含まれる。
【符号の説明】
【００１９】
１、    発光部品
１０、横置部
１１、台座
２、反射体
２０、掛合部
２１、反射面
２２、頂部
３、グローブ(カバー)
３１、上部
３２、下部
３１１、突出部
４、光源
【図１】
0003164394.tif 000003
【図２】
0003164394.tif 000004
【図３】
0003164394.tif 000005
【図４】
0003164394.tif 000006
【図５】
0003164394.tif 000007
【図６】
0003164394.tif 000008
【図７】
0003164394.tif 000009
【図８】
0003164394.tif 000010
【図９】
0003164394.tif 000011
【図１０】
0003164394.tif 000012